(57)【要約】【課題】特別な部品を用いることなく、蓋体と本体との装着が容易で、且つ装着後の蓋体と本体とが簡単に離脱されないようにする。【解決手段】蓋体８の細径部１５の中央に一定幅の切欠き部１８を形成する。台座４の軸受け面１６の切欠き部１８に対応した位置に、規制突起１９を設ける。この規制突起１９の上端面に、軸間方向で規制突起１９の先端側が根元側よりも幅狭となるように斜面２０を形成する。斜面２０が形成された側の回転軸１３ａに、案内斜面２１を形成する。切欠き部１８に規制突起１９の幅狭の部分が入った状態で、蓋体８をその軸間距離が短くなるように撓ませながら装着し、装着後には撓みの復元により切欠き部１８に規制突起１９の根元側が位置して軸方向への移動を制限する。【選択図】　　　　図４
2004037530.tif 000002
【特許請求の範囲】
【請求項１】
本体部の表面に設けられた一対の軸受け突起の端面、またはこれらの端面に各々対面する蓋体の端面のいずれか一方に回転軸を突設するとともに他方には軸受け穴を形成し、各々の軸受け穴に回転軸を挿通することにより蓋体を本体部に回転自在に装着させる蓋体の取り付け構造において、
前記蓋体の一対の端面の相互間に一定幅の切欠き部を形成し、本体部には蓋体を装着したときに前記切欠き部に入り込み、軸間方向でその先端側が根元側よりも幅狭に形成された規制突起を設け、
前記切欠き部に規制突起の幅狭の部分が入った状態で、前記蓋体をその軸間距離が短くなるように撓ませながら装着し、装着後には撓みの復元により前記切欠き部に規制突起の根元側が位置して軸方向への移動を制限することを特徴とする蓋体の取り付け構造。
【請求項２】
前記規制突起の幅狭の部分を、一方の軸受け突起に対向する規制突起の壁面を斜面にすることによって形成し、且つこの斜面が形成された側の回転軸に、対応する軸受け穴への装着を容易にする案内斜面を形成したことを特徴とする請求項１に記載の蓋体の取り付け構造。
【請求項３】
前記蓋体を装着した状態で、前記斜面が形成された側の規制突起の根元側壁面と前記切欠き部壁面との間の隙間が、規制突起の他方の根元側壁面と切欠き部壁面との隙間よりも狭くしたことを特徴とする請求項２に記載の蓋体の取り付け構造。
【発明の詳細な説明】
【０００１】
【発明の属する技術分野】
本発明は、携帯して使用される機器などに用いられる蓋体の取り付け構造に関する。
【０００２】
【従来の技術】
銀塩カメラやデジタルカメラのような携帯して使用される機器では、機器本体に設けられた操作部や入出力端子などを保護する、あるいは不用意に操作されることを防止するために、これらを開閉自在な蓋体でカバーしている。また、機器本体の携帯時に使用されるストラップに、リモコン装置などの補助機器を着脱自在に取り付けておき、補助機器に設けられた蓋体を開放することによって補助機器をストラップから取り外すようにしたものがある。
【０００３】
【発明が解決しようとする課題】
蓋体を機器本体に回転自在に装着する際には、本体の表面に設けられた一対の軸受け突起の端面、またはこれらの端面に各々対面する蓋体の端面のいずれか一方に突設された回転軸を、他方に形成された軸受け穴に挿通することにより行う。この場合、蓋体と本体との装着が容易で、且つ装着後の蓋体と本体とが簡単に離脱されないような構造にすることが要求されるが、これらの要求を満たすために、蓋体や本体とは別の部品を用いると、生産コストの増大や部品の設置スペースが制限されるなどの問題が生じる。
【０００４】
本発明は、特別な部品を用いることなく、蓋体と本体との装着が容易で、且つ装着後の蓋体と本体とが簡単に離脱されないような蓋体の取り付け構造を提供することを目的とする。
【０００５】
【課題を解決するための手段】
上記目的を達成するために、本発明は、本体部の表面に設けられた一対の軸受け突起の端面、またはこれらの端面に各々対面する蓋体の端面のいずれか一方に回転軸を突設するとともに他方には軸受け穴を形成し、各々の軸受け穴に回転軸を挿通することにより蓋体を本体部に回転自在に装着させる蓋体の取り付け構造において、前記蓋体の一対の端面の相互間に一定幅の切欠き部を形成し、本体部には蓋体を装着したときに前記切欠き部に入り込み、軸間方向でその先端側が根元側よりも幅狭に形成された規制突起を設け、前記切欠き部に規制突起の幅狭の部分が入った状態で、前記蓋体をその軸間距離が短くなるように撓ませながら装着し、装着後には撓みの復元により前記切欠き部に規制突起の根元側が位置して軸方向への移動を制限することを特徴とする。
【０００６】
なお、前記規制突起の幅狭の部分を、一方の軸受け突起に対向する規制突起の壁面を斜面にすることによって形成し、且つこの斜面が形成された側の回転軸に、対応する軸受け穴への装着を容易にする案内斜面を形成することが好ましい。また、前記蓋体を装着した状態で、前記斜面が形成された側の規制突起の根元側壁面と前記切欠き部壁面との間の隙間が、規制突起の他方の根元側壁面と切欠き部壁面との隙間よりも狭くすることが好ましい。
【０００７】
【発明の実施の形態】
図１は、本発明の蓋体の取り付け構造を有するカメラのリモコン装置を、ストラップに装着した状態を示したものである。リモコン装置２は、ストラップ３に固定される本体部としての台座４と、台座４から取り外して使用されるリモコン本体５とからなる。リモコン本体５は、矢印方向にスライド操作させることにより台座４から着脱可能となっており、カメラにシャッタレリーズなどの操作信号を送信するための押ボタン６とＬＥＤ７とを備えている。台座４のリモコン本体５を収納する側と反対側の面には、蓋体８が装着されている。この蓋体８と台座４との隙間にストラップ３を通して、蓋体８のフック（図示せず）を台座４の係止爪（図示せず）に係合させることで、リモコン装置２がストラップ３に装着される。
【０００８】
図２に、台座４と蓋体８の分解斜視図を示す。台座４には一対の軸受け突起１１ａ、１１ｂが一体に設けられ、これら軸受け突起１１ａ、１１ｂには、軸受け穴１２ａ、１２ｂがそれぞれ形成されている。また、軸受け突起１１ａには、蓋体８を台座４に装着する際に、後述する回転軸１３ａの案内斜面２１と当接する部分に面取り部２２（図４参照）が形成されている。
【０００９】
蓋体８には、一対の回転軸１３ａ、１３ｂが設けられている。これら回転軸１３ａ、１３ｂの軸方向の長さＬａ、Ｌｂは、Ｌａの方がＬｂよりも短くなっている。このため、台座４に蓋体８を装着する際、回転軸１３ａの軸受け穴１２ａへの挿通を容易に行うことができる。蓋体８の両端部は、それぞれ対面する軸受け突起１１ａ、１１ｂの端面と略同径の太径部１４となっている。一方、これらの太径部１４で挟まれた蓋体８の中間部は、太径部１４よりも径が小さい細径部１５となっている。
【００１０】
台座４には、軸受け面１６と凹部１７とが設けられている。軸受け面１６は、細径部１５の外周面に接して蓋体８の回転を支持する。凹部１７は、軸受け面１６の両端側にそれぞれ形成され、台座４に蓋体８を装着した際に太径部１４が入り込む逃げとなっている。このような構造にすると、回転軸１３ａ、１３ｂを突出させた部分の蓋体８の端面と、軸受け突起１１ａ、１１ｂの端面との間に段差が生じることがないので、製品の美観を損ねることがない。また、台座４の厚みが増加することがなく、リモコン本体２の収納スペースが制約を受けることもない。さらに、台座４の機械的強度と蓋体８の装着強度とを十分に保つことができる。
【００１１】
蓋体８の細径部１５の中央には、一定幅の切欠き部１８が形成されている。この切欠き部１８の幅を狭めるような力を蓋体８に加えることにより、蓋体８はその軸間距離が短くなるように撓む。台座４の軸受け面１６には、切欠き部１８に対応した位置に規制突起１９が設けられている。この規制突起１９の上端面には、軸間方向で規制突起１９の先端側が根元側よりも幅狭となるように、斜面２０が形成されている。斜面２０が形成された側の回転軸１３ａには、案内斜面２１が形成されている（図４も参照）。
【００１２】
図３に示すように、規制突起１９は、蓋体８を台座４に装着した状態で、斜面２０が形成された側の根元側壁面と切欠き部１８の壁面との間の隙間Ｌｃが、他方の根元側壁面と切欠き部１８の壁面との隙間Ｌｄよりも狭くなるように形成されている。装着後の蓋体８の軸方向の移動範囲は隙間Ｌｃのみであり、回転軸１３ａの軸方向の長さＬａの方が回転軸１３ｂの軸方向の長さＬｂよりも短くなっていても、規制突起１９によって蓋体８の軸方向の移動が制限されているので、装着後の蓋体８と台座４とが簡単に離脱されることがない。
【００１３】
図４に示すように、蓋体８を台座４に装着する際には、まず、回転軸１３ｂの先端部を軸受け穴１２ｂに挿入し（Ａ）、回転軸１３ａの案内斜面２１を、軸受け突起１１ａの面取り部２２に当接させる（Ｂ）。次に、切欠き部１８に規制突起１９の幅狭な部分が入った状態で、蓋体８を軸間距離が短くなるように撓ませる（Ｃ）。これにより、切欠き部１８の端部および案内斜面２１が、規制突起１９の斜面２０および軸受け突起１１ａの面取り部２２上をそれぞれ滑り、回転軸１３ａが軸受け穴１２ａに挿入される。このようにして、蓋体８が台座４に回転自在に装着される。
【００１４】
なお、上記実施形態では、蓋体に回転軸、台座に軸受け穴が設けられているが、図５に示すように、蓋体３１に軸受け穴３５ａ、３５ｂ、台座３２に固定軸３４ａ、３４ｂが設けられた場合についても本発明を適用することができる。この場合は、規制突起３７の斜面３８が形成された側の回転軸３４ａに案内斜面３９を形成し、軸受け穴３５ａに面取り部４０を設ける。
【００１５】
また、上記実施形態では、ストラップに装着されるカメラのリモコン装置を例に挙げて説明したが、本発明はこれに限定されず、例えば機器本体に設けられた操作部や入出力端子などを保護する、あるいは不用意に操作されることを防止するために、これらをカバーする蓋体に適用してもよい。
【００１６】
【発明の効果】
以上のように、本発明の蓋体の取り付け構造によれば、蓋体の一対の端面の相互間に一定幅の切欠き部を形成し、本体部には蓋体を装着したときに切欠き部に入り込み、軸間方向でその先端側が根元側よりも幅狭に形成された規制突起を設け、切欠き部に規制突起の幅狭の部分が入った状態で、蓋体をその軸間距離が短くなるように撓ませながら装着し、装着後には撓みの復元により切欠き部に規制突起の根元側が位置して軸方向への移動を制限するので、特別な部品を用いることなく、蓋体と本体との装着が容易で、且つ装着後の蓋体と台座とが簡単に離脱されないようにすることができる。
【図面の簡単な説明】
【図１】本発明を実施したカメラのリモコン装置をストラップに装着した状態を示す図である。
【図２】蓋体と台座の分解斜視図である。
【図３】蓋体を装着した状態における蓋体と台座の背面拡大図である。
【図４】蓋体を台座に装着する過程を示す図であり、（Ａ）は一方の回転軸の先端部を軸受け穴に挿入した状態、（Ｂ）は他方の回転軸の案内斜面が軸受け突起の面取り部に当接した状態、（Ｃ）は切欠き部に規制突起の幅狭な部分が入った状態で、蓋体を軸間距離が短くなるように撓ませた状態をそれぞれ示す。
【図５】本発明の別の実施形態を示す図である。
【符号の説明】
２　リモコン装置
４　台座（本体部）
８　蓋体
１１ａ、１１ｂ　軸受け突起
１２ａ、１２ｂ　軸受け穴
１３ａ、１３ｂ　回転軸
１８　切欠き部
１９　規制突起
２０　斜面
２１　案内斜面
２２　面取り部
【図１】
2004037530.tif 000003
【図２】
2004037530.tif 000004
【図３】
2004037530.tif 000005
【図４】
2004037530.tif 000006
【図５】
2004037530.tif 000007